(57)【要約】【課題】読み出し書き込み装置のアンテナコイル部に形成される副通信可能領域を抑止することで通信不良を防止できるアンテナ装置を提供する。【解決手段】信号処理回路２１０，２２０とＩＣカード１０との間で高周波信号を介して情報通信を行う読み出し書き込み装置２０に用いられ、ＩＣカード１０のアンテナコイル１００を相対的に近接させるアンテナ装置２００であって、基板２０１面に形成されたループ状のアンテナコイル部２０２と、アンテナコイル部の外側の実質的同一面上に形成された導体部２０３とを有する。【選択図】　図１
2004112020.tif 000002
【特許請求の範囲】
【請求項１】
信号処理回路と無線情報記憶媒体との間で高周波信号を介して情報通信を行う読み出し書き込み装置に用いられ、前記無線情報記憶媒体のアンテナコイルを相対的に近接させるアンテナ装置であって、
基板面に形成されたループ状のアンテナコイル部と、前記アンテナコイル部の外側の実質的同一面上に形成された導体部とを有するアンテナ装置。
【請求項２】
前記アンテナコイル部は、矩形ループ状に形成されている請求項１記載のアンテナ装置。
【請求項３】
前記アンテナコイル部は、円形ループ状に形成されている請求項１記載のアンテナ装置。
【請求項４】
前記導体部は、前記矩形ループ状アンテナコイル部の少なくとも何れかの辺の外側に沿って形成されている請求項２記載のアンテナ装置。
【請求項５】
前記導体部は、前記アンテナコイル部の外側において電気的に不連続に形成されている請求項１〜４の何れかに記載のアンテナ装置。
【請求項６】
前記導体部は、前記アンテナコイル部を構成する導体パターンと同じ導体パターンにより形成されている請求項１〜５の何れかに記載のアンテナ装置。
【請求項７】
ループ状に形成されたアンテナコイル部と、前記アンテナコイル部によって発生するサイドローブを抑制するサイドローブ抑制手段とを有するアンテナ装置。
【請求項８】
無線情報記憶媒体のアンテナコイルとアンテナコイル部との結合によって誘起される高周波信号を介して信号処理回路と前記無線情報記憶媒体との間で情報通信を行う読み出し書き込み装置であって、前記アンテナコイル部の外側の実質的同一面上に導体部が形成されている読み出し書き込み装置。
【請求項９】
読み出し書き込み装置を備え、
無線情報記憶媒体と前記読み出し書き込み装置とを相対的に近接させたときの、前記無線情報記憶媒体のアンテナコイルと前記読み出し書き込み装置のアンテナコイル部との結合によって誘起される高周波信号を介して情報通信を行う情報処理装置であって、
前記読み出し書き込み装置のアンテナコイル部の外側の実質的同一面上に導体部が形成されている情報処理装置。
【請求項１０】
請求項８記載の読み出し書き込み装置と、無線情報記憶媒体との間で電力及び情報の送受信を行う通信方法。
【請求項１１】
絶縁基板の主面に一つの導体層を形成し、前記導体層をエッチングしてループ状のアンテナコイル部と、前記アンテナコイル部の外側に位置する導体部とに形成するアンテナ装置の製造方法。
【発明の詳細な説明】
【０００１】
【発明の属する技術分野】
本発明は、非接触ＩＣカードなどの無線情報記憶媒体との間で情報通信を行う場合などに用いられるアンテナ装置、読み出し書き込み装置、情報処理装置、通信方法及びアンテナ装置の製造方法に関し、特に、アンテナ装置の構造に関する。
【０００２】
【従来の技術】
この種の無線情報送受信装置は、無線情報記憶媒体（以下、ＩＣカードとも言う。）と読み出し書き込み装置（以下、リーダライタとも言う。）とを備え、一例として乗車券の改札や入退室管理装置などに利用することができる。
【０００３】
ＩＣカードは、プラスチック製カード基板の主面に、ループアンテナと、このループアンテナの端子に接続されたＩＣチップと、同調用コンデンサとが形成されたものである。また、リーダライタは、ループアンテナと、変復調回路と、ＣＰＵとを備え、ＩＣカードヘの送信時は、送信データによって１３．５６ＭＨｚのキャリアを変調した電流をループアンテナに流し、ＩＣカードからの受信時には、無変調の電流をループアンテナに流す。
【０００４】
そして、ＩＣカードのループアンテナをリーダライタのループアンテナに近づけると、電磁誘導によってＩＣカード側のループアンテナの端子に誘導電圧が生じ、ＩＣチップは安定化された電源電圧を得て、変調波を復調することでリーダライタからの送信データを受信する。また、ＩＣチップ内のメモリに格納されたデータをリーダライタへ送るときは、ＩＣチップ内の負荷をデータによって変動させることでループアンテナの終端インピーダンスを切り換え、リーダライタはこの負荷変動を検出し復調することでＩＣカードからのデータを受信する。以上のようにして、ＩＣカードとリーダライタとの情報通信が行われ、そのデータに応じて、リーダライタの上位機器（コンピュータ等、外部の情報処理装置）は、乗車券の改札や入退室管理等の情報処理を実行する（たとえば特開平１０−１３３１２号公報参照）。
【０００５】
【発明が解決しようとする課題】
ところで、こうしたリーダライタのループアンテナ２０２には、電流ｉの流れによって図１１に示すような磁束Ｈが生じる。このループアンテナの周囲の磁束を合成して図１１のＸＩＩ−ＸＩＩ断面で示すと図１２の点線矢印のようになる。すなわち、ループアンテナ２０２の内側においてはループアンテナ２０２の各辺に生じる磁束方向が同じであるため、ループアンテナ２０２の中心を最大値とする上向きの磁界が生じるが、ループアンテナ２０２の外側においては、近接する辺の磁束方向とこれに対面する辺の磁束方向とが逆になるため、これらが合成されると下向きの磁界が生じる。
【０００６】
リーダライタの電源は１３．５６ＭＨｚの交流電源であることから、ループアンテナ２０２の片方の面だけに注目すると、図１３に点線で示すような磁界が形成され、これがＩＣカードとの通信可能領域を構成する。すなわち、図１３に示すように、ループアンテナ２０２の内側には中心をピークとする主通信可能領域（メインローブともいう。）Ｍが形成される一方で、ループアンテナ２０２の外側にはこれより小さいピークの副通信可能領域（サイドローブともいう。）Ｓが形成されることになる。
【０００７】
ところが、図１３に矢印で示すように、ＩＣカード１０を一方（同図では左）の副通信可能領域Ｓから近接させてここを横断させたのちに、主通信可能領域Ｍを横断させた場合などにおいては、通信不良が発生するおそれがあった。
【０００８】
すなわち、最初の副通信可能領域Ｓの横断によってＩＣカード１０側に誘電電圧が生じてリーダライタ側からの初期データを受信したのち、ＩＣカード側からリーダライタ側へ初期データを送信するが、リーダライタ側がＩＣカード側からの初期データを受信した状態でＩＣカードが副通信可能領域Ｓと主通信可能領域Ｍとの境界部Ｂを通過すると、ここには所定の誘電電圧が生じるほどの磁界が形成されていないため、ＩＣカード側への電力供給が一時的に遮断され、これによってＩＣカードのみが初期化される。
【０００９】
こうした状態でＩＣカード１０が主通信可能領域Ｍに入ると、ＩＣカード側はリーダライタからの初期データを受信しようとするが、リーダライタ側は先程の副通信可能領域Ｓにおける通信を継続しようとしているので、ＩＣカード側とリーダライタ側の間で情報通信の齟齬が生じ、その結果リーダライタ側が通信エラーと判断してしまう。
【００１０】
【課題を解決するための手段】
本発明は、読み出し書き込み装置のアンテナコイル部に形成される副通信可能領域を抑止することで通信不良を防止できるアンテナ装置及びこれを用いた読み出し書き込み装置、情報処理装置、通信方法並びにアンテナ装置の製造方法を提供することを目的とする。
【００１１】
本発明によれば、信号処理回路と無線情報記憶媒体との間で高周波信号を介して情報通信を行う読み出し書き込み装置に用いられ、前記無線情報記憶媒体のアンテナコイルを相対的に近接させるアンテナ装置であって、基板面に形成されたループ状のアンテナコイル部と、前記アンテナコイル部の外側の実質的同一面上に形成された導体部とを有するアンテナ装置が提供される。
【００１２】
本発明では、アンテナコイル部の外側に構成される副通信可能領域を抑止するために、この部分に導体部を形成する。
【００１３】
厚さが均一な導体（理想的には抵抗値が均一な完全導体）においては、電界は導体部の主面に垂直に形成され、電磁界は電界に垂直に形成される。したがって、導体部に垂直な電磁界は皆無となり、この導体部に対して平行に無線情報記憶媒体のアンテナコイルを近接させても誘電電圧は発生せず、情報通信を行うことができない。本発明では、アンテナコイル部の外側に導体部を形成しているので、導体部が形成された領域には通信可能領域が形成されず、このような通信不可能領域を所望の領域に形成することで、通信不良を防止することができる。
【００１４】
本発明において、導体部を形成する領域はアンテナコイル部の外側であれば特に限定されず、通信不良を防止する観点からいえばアンテナコイル部の外側の全域に形成することが好ましいが、無線情報記憶媒体が近接することで上述した通信不良が生じる可能性の高い領域のみに導体部を形成してもよい。すなわち、読み出し書き込み装置のアンテナコイル部の設置位置、レイアウト、用途などによって、無線情報記憶媒体が誤って近接するアンテナコイル部の外側の領域が異なることもあるが、そのような状況に応じて導体部の形成位置や形成範囲を選択することで、通信不良を防止しつつアンテナコイル部の小型化およびコストダウンを図ることができる。
【００１５】
本発明のアンテナコイル部の形状は、特に限定されず、矩形ループ状、円形ループ状その他の形状を採用することができる。アンテナコイル部を矩形ループ状に形成した場合には、少なくとも何れかの辺の外側に導体部を形成する。
【００１６】
上記発明においては特に限定されないが、アンテナコイル部の外側に導体部を形成する場合、これを電気的に連続させると一つのコイルを構成することになってアンテナコイル部の通信に悪影響を及ぼすおそれもあることから、導体部が電気的に不連続となるように少なくとも一箇所の電気絶縁部分を形成することが好ましい。
【００１７】
上記発明においては特に限定されないが、導体部を形成する場合、アンテナコイル部を構成する導体パターンと同じ導体パターンにより形成することもできる。アンテナコイル部と導体部とを同一の材料で形成する方法の一つとして、絶縁基板の主面に一つの導体層を形成したのち、この導体層をエッチングしてループ状のアンテナコイル部と導体部とに形成する方法を挙げることができる。
【００１８】
アンテナコイル部を絶縁基板上に形成した導体パターンによって構成すると、同じ製造工程で導体部も形成することができるので、別工程で形成した導体部をアンテナコイル部の外側に貼り付ける手法に比べて、安価なアンテナ装置を提供することができる。また、アンテナコイル部を構成する導体パターンと同じ導体パターンで導体部を構成することで、導体部とアンテナコイル部との位置精度が高くなり、通信不良の防止効果がさらに高くなる。さらに、アンテナコイル部を構成する導体パターンと同じ導体パターンで導体部を構成することで、別工程で形成した導体部をアンテナコイル部の外側に貼り付ける手法に比べて、同調周波数の調節を省略することができるという利点もある。
【００１９】
上記発明に係るアンテナ装置は、無線情報記憶媒体のアンテナコイルとアンテナコイル部との結合によって誘起される高周波信号を介して信号処理回路と前記無線情報記憶媒体との間で情報通信を行う読み出し書き込み装置に適用することができる。
【００２０】
また、上記発明に係るアンテナ装置は、読み出し書き込み装置を備え、無線情報記憶媒体と前記読み出し書き込み装置とを相対的に近接させたときの、前記無線情報記憶媒体のアンテナコイルと前記読み出し書き込み装置のアンテナコイル部との結合によって誘起される高周波信号を介して情報通信を行う情報処理装置に適用することができる。この情報処理装置には、たとえば無線で改札データを伝送及び処理する改札機、非接触情報媒体と情報の読み書き機能を有する携帯電話機・ＰＤＡなどが含まれる。
【００２１】
上記発明において、無線情報記憶媒体の形態は特に限定されず、たとえばＩＣカードを例示することができる。ただし、本発明の無線情報記憶媒体はカード形状にのみ限定されるものではなく、たとえばＩＣチップを携帯電話機などの情報機器に内蔵させるような態様も本発明の無線情報記憶媒体に含まれる。
【００２２】
【発明の実施の形態】
以下、本発明の実施形態を図面に基づいて説明する。
【００２３】
図１は本発明の実施形態に係る無線情報送受信装置を示す構成図、図２は図１に示す無線情報送受信装置の等価回路図である。
【００２４】
まず、図１および図２を参照して本実施形態に係る無線情報送受信装置を説明する。同図に示すように、無線情報送受信装置１は、ＩＣカード１０（本発明の無線情報記憶媒体に相当する。）とリーダライタ２０（本発明の読み出し書き込み装置に相当する。）とから構成されている。
【００２５】
ＩＣカード１０には、アンテナとなるアンテナコイル１００と、ＩＣチップ１２０と、アンテナの信号周波数を同調させるための同調用コンデンサ１４０とが設けられている。
【００２６】
ＩＣチップ１２０には、整流回路１２１，電源安定化回路１２２，変復調回路１２３，１２４，メモリ１２５，ＣＰＵ又はシーケンサ１２６が内蔵されている。メモリ１２５へのデータの書き込みやメモリ１２５からのデータの読み出しは、リーダライタ２０との無線通信により行われる。
【００２７】
リーダライタ２０は、アンテナとなるアンテナコイル（本発明のアンテナ装置に相当する。）２００と、変復調回路２１０と、ＣＰＵ２２０とを備え、ＩＣカード１０への送信時には、送信データによって１３．５６ＭＨｚのキャリアを変調した電流をアンテナコイル２００に流し、ＩＣカード１０からの受信時には、無変調の電流をアンテナコイル２００に流す。なお、変復調回路２１０とＣＰＵ２２０が本発明の信号処理回路に相当する。
【００２８】
そして、ＩＣカード１０をリーダライタ２０のアンテナコイル２００に近づけると、電磁誘導によりＩＣカード１０内のアンテナコイル１００の端子に誘導電圧が生じ、ＩＣチップ１２０はその誘導電圧から安定化した電源電圧を得て、変調波を復調することでリーダライタ２０から送られてきた送信データを受信する。
【００２９】
逆に、ＩＣカード１０のメモリ１２５に記憶されたデータをリーダライタ２０に送信する場合には、ＩＣカード１０側でデータによって負荷Ｚを変動させ、リーダライタ２０がＩＣカード１０のアンテナコイル１００の負荷変動を検出し復調することで、ＩＣカード１０からのデータがリーダライタ２０に送信される。
【００３０】
このようにして、ＩＣカード１０とリーダライタ２０との間でデータの送受信が行われ、そのデータに応じてリーダライタ２０の上位機種であるホストコンピュータや情報処理装置は、たとえば乗車券の改札や入退室管理を行うことができる。
【００３１】
図３は本発明の実施形態に係るアンテナ装置を示す全体平面図、図４は図３に示すＩＶ−ＩＶ線に沿う断面図である。
【００３２】
本例のリーダライタ２０のアンテナコイル２００は、図３および図４に示すように、ポリイミド（ＰＩ）又はポリエチレンナフタレート（ＰＥＮ）などの樹脂で構成された絶縁基板２０１を有する。この絶縁基板２０１は、たとえば厚さが１ｍｍである。この絶縁基板２０１の一主面の中央付近には、銅製又はアルミニウム製の矩形ループ状のアンテナコイル部２０２が形成されている。アンテナコイル部２０２の両端子２０２ａは、リーダライタ２０の信号処理回路基板（変復調回路２１０とＣＰＵ２２０とが実装された回路基板）に電線にて接続される。
【００３３】
絶縁基板２０１の中央付近に形成された矩形ループ状アンテナコイル部２０２の４つの辺の外側には、同じ銅製又はアルミニウム製の導体パターンで導体部２０３（本発明に係るサイドローブ抑制手段に相当する。）が形成されている。これらアンテナコイル部２０２及び導体部２０３を構成する導体パターンの厚さは、たとえば１６μｍである。特に導体部２０３を構成する導体パターンの厚さは均一であることが好ましい。
【００３４】
図３に示すアンテナコイル２００では、導体部２０３は、アンテナコイル部２０２の各辺の外側に、所定の幅をもって、矩形状に、かつ４つの導体部２０３のそれぞれが互いに絶縁されるように隙間をもって形成されている。各辺の外側に形成される導体部２０３の長さは、アンテナコイル部２０２の各辺の長さにほぼ等しいかそれより長くすることが好ましく、導体部２０３の幅は広い方が好ましい。詳細な原理は後述するが、副通信可能領域Ｓの発生を抑止する観点から、長さ方向としてアンテナコイル部２０２の長さ以上にし、幅方向として極力広くすることが好ましいからである。
【００３５】
ただし、無線情報送受信装置１の応用範囲（たとえば、改札情報管理、入退室管理、レジスター情報管理など）やアンテナコイル２００の配置場所、レイアウト、あるいはＩＣカード１０の近接方向などの状況に応じて以下のように導体部２０３を形成することもできる。
【００３６】
図５〜図８のそれぞれは、本発明の他の実施形態に係るアンテナコイル２００を示す全体平面図である。
【００３７】
図５に示すアンテナコイル２００では、絶縁基板２０１の一主面に矩形ループ状のアンテナコイル部２０２を形成し、このアンテナコイル部２０２の４辺のうちの３辺の外側に導体部２０３を形成した例である。また、図６に示すアンテナコイル２００では、絶縁基板２０１の一主面に矩形ループ状のアンテナコイル部２０２を形成し、このアンテナコイル部２０２の４辺のうちの２辺の外側に導体部２０３を形成した例である。さらに、図７に示すアンテナコイル２００では、絶縁基板２０１の一主面に矩形ループ状のアンテナコイル部２０２を形成し、このアンテナコイル部２０２の４辺のうちの１辺の外側に導体部２０３を形成した例である。
【００３８】
これらの変形例において、導体部２０３が形成されていないアンテナコイル部２０２の外側部分は、アンテナコイル２００が配置された状況などにより、ＩＣカード１０が接近しない条件であったり、あるいはＩＣカード１０が接近し難い条件であったりする場合に採用して好ましいものである。導体部２０３を形成すると、そのぶんだけアンテナコイル２００が大きくなるので、副通信可能領域Ｓの発生による通信不良を効果的に抑止できる最小領域に導体部２０３を形成すれば、アンテナコイル２００の小型化およびコストダウンを図ることができるからである。
【００３９】
たとえば、鉄道などの改札装置にアンテナコイル２００を配置する場合を例に挙げると、ＩＣカード１０をもった乗客が通過する際にＩＣカード１０を誤って接近させることが多いのは、通過方向に対してアンテナコイル部の手前および内側（乗客に近い側）の辺の外側であるとする。このような場合には、図６に示すように乗客の進行方向（同図に矢印で示す。）に対して手前側と内側に導体部２０３を形成し、残りの２辺には導体部２０３の形成を省略する。こうすることで、通信不良の防止とアンテナコイル２００の小型化・低コスト化の両方を成立させることができる。なお、図５〜図７に示す例は改札装置に限定されず、適宜改変、応用することができる。
【００４０】
また、アンテナコイル２００のアンテナコイル部２０２の形状は、図３〜図７に示す矩形ループ状にのみ限定されるものではない。たとえば、図８に示すように円形ループ状のアンテナコイル部２０２を採用することもできる。同図に示す例は、絶縁基板２０１の一主面に円形ループ状のアンテナコイル部２０２が形成され、このアンテナコイル部２０２の外側に、円周方向に位相角が等しくなるように４分割した導体部２０３が形成されている。なお、導体部２０３は、必ずしも４分割して全周にわたってする形成する必要はなく、少なくとも円形ループ状アンテナコイル部２０２の外側の一部の領域に形成されていればよい。
【００４１】
図３および図４に戻り、絶縁基板２０１とアンテナコイル部２０２は、所定の大きさに形成された絶縁基板に銅箔又はアルミニウム箔を貼り付けた基板の銅箔又はアルミニウム箔に対して、所望のアンテナコイル部をパターニングし、エッチングにより不要な部分を除去することで作製することができる。本例では、このパターニングおよびエッチングの際に、導体部２０３も同一工程でパターニングおよびエッチングして作製する。アンテナコイル部２０２と導体部２０３とを同じパターニングおよびエッチング工程で作製することで、製造工程が短くなりコストダウンを図ることができるとともに、パターニングおよびエッチングによりアンテナコイル部２０２と導体部２０３とを形成するので、これらの位置精度が著しく高くなる。さらに、同調周波数の調節も初期調整のみで足り、きわめて簡素化される。
【００４２】
以上でアンテナコイル２００を得ることができるが、必要に応じてこのアンテナコイル２００の表裏面に、エポキシ樹脂などから構成される充填樹脂層２０４や、さらにポリエチレンテレフタレートなどからなる外装樹脂層などを形成してもよい。図４の例は充填樹脂層２０４のみを形成したものである。
【００４３】
次に、副通信可能領域（サイドローブ）Ｓの発生の抑止原理について説明する。
厚さが均一な導体部２０３における電界Ｅは、導体部２０３の主面に垂直に形成される。ここで、電磁界Ｈは電界Ｅに垂直に形成されるので、導体部２０３に垂直な電磁界Ｈは皆無となる。
【００４４】
図９は本実施形態に係るアンテナコイル２００の磁束を示す断面図、図１０は同じく磁界を示す断面図である。図９および図１０は、アンテナコイル部２０２の対面する辺の外側に導体部２０３が形成された例を示す。上述したように、導体部２０３にはその主面に垂直方向の電磁界Ｈは発生せず、図９に点線で示すような磁束分布となる。これを磁界で示すと図１０の点線のようになり、主通信可能領域Ｍが導体部２０３の方向に幅広になる（同図のＷが従来に比べて大きくなる。）とともに、導体部２０３が形成されている領域に発生するとされた副通信可能領域Ｓが消失する。
【００４５】
したがって、導体部２０３に対して平行にＩＣカード１０のアンテナコイル１００を近接させても当該アンテナコイル１００に誘電電圧は発生せず、ＩＣカード１０とリーダライタ２０との間で、初期情報の交換をはじめとする情報通信は実行されない。その結果、既述したような副通信可能領域Ｓの存在による通信不良といった問題は発生しなくなる。また、主通信可能領域Ｍも導体部２０３の形成方向に拡大することになる。
【００４６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４７】
たとえば、上述した実施形態では、アンテナコイル部２０２を絶縁基板２０１の片面にのみ形成した例を示したが、アンテナコイル部２０２を送信用アンテナコイル部と受信用アンテナコイル部といった別コイルから構成し、一方のアンテナコイル部を絶縁基板２０１の一方の主面に形成し、他方のアンテナコイル部を絶縁基板２０１の他方の主面に形成してもよい。この場合、導体部２０３は、絶縁基板２０１の一方の主面に形成しても、あるいは両面に形成してもよい。
【００４８】
【発明の効果】
以上述べたように本発明によれば、読み出し書き込み装置のアンテナコイル部に形成される副通信可能領域を抑止することで通信不良を防止できるアンテナ装置及びこれを用いた読み出し書き込み装置、情報処理装置、通信方法並びにアンテナ装置の製造方法を提供することができる。
【図面の簡単な説明】
【図１】本発明の実施形態に係る無線情報送受信装置を示す構成図である。
【図２】図１に示す無線情報送受信装置の等価回路図である。
【図３】本発明の実施形態に係るアンテナ装置を示す全体平面図である。
【図４】図３に示すＩＶ−ＩＶ線に沿う断面図である。
【図５】本発明の他の実施形態に係るアンテナ装置を示す全体平面図である。
【図６】本発明のさらに他の実施形態に係るアンテナ装置を示す全体平面図である。
【図７】本発明のさらに他の実施形態に係るアンテナ装置を示す全体平面図である。
【図８】本発明のさらに他の実施形態に係るアンテナ装置を示す全体平面図である。
【図９】本発明の実施形態に係るアンテナ装置の磁束を示す断面図である。
【図１０】本発明の実施形態に係るアンテナ装置の磁界を示す断面図である。
【図１１】従来のアンテナ装置の磁束を示す図である。
【図１２】図１１に示すアンテナ装置の磁束を示す断面図である。
【図１３】図１１に示すアンテナ装置の磁界を示す断面図である。
【符号の説明】
１…無線情報送受信装置
１０…ＩＣカード（無線情報記憶媒体）
１００…アンテナコイル
１２０…ＩＣチップ
１２１…整流回路，１２２…電源安定化回路，１２３…変復調回路，
１２４…変復調回路，１２５…メモリ，１２６…シーケンサ，Ｚ…負荷
１４０…同調用コンデンサ
２０…リーダライタ（読み出し書き込み装置）
２００…アンテナコイル（アンテナ装置）
２０１…絶縁基板
２０２…アンテナコイル部
２０３…導体部（サイドローブ抑制手段）
２１０…変復調回路（信号処理回路）
２２０…ＣＰＵ（信号処理回路）
Ｍ…主通信可能領域（メインローブ）
Ｓ…副通信可能領域（サイドローブ）
【図１】
2004112020.tif 000003
【図２】
2004112020.tif 000004
【図３】
2004112020.tif 000005
【図４】
2004112020.tif 000006
【図５】
2004112020.tif 000007
【図６】
2004112020.tif 000008
【図７】
2004112020.tif 000009
【図８】
2004112020.tif 000010
【図９】
2004112020.tif 000011
【図１０】
2004112020.tif 000012
【図１１】
2004112020.tif 000013
【図１２】
2004112020.tif 000014
【図１３】
2004112020.tif 000015